(57)【特許請求の範囲】
【請求項１】
複数のレーザ光源からレーザ光を結合し所望の位置に照射する光モジュールにおいて、前記光モジュールを包含するカバーを有し、前記光モジュールと前記カバーとの間に第二のカバーを設け、前記第二のカバーの前記光モジュール対向面で、一つの前記レーザ光源と二つ目の前記レーザ光源の間の空間に、少なくとも１つ以上の突出部を前記レーザ光源の下側に設け、前記突出部は、前記レーザ光源の発生する熱による前記レーザ光源下方から上方への対流を低減することを特徴とする光モジュール。
【請求項２】
複数のレーザ光源からレーザ光を結合し所望の位置に照射する光モジュールにおいて、
前記光モジュールを包含するカバーを有し、前記光モジュールと前記カバーとの間に第二のカバーを設け、前記第二のカバーの隅部の前記光モジュール対向面に突出部を前記レーザ光源の下側に設け、前記突出部は、前記レーザ光源の発生する熱による前記レーザ光源下方から上方への対流を低減することを特徴とする光モジュール。
【請求項３】
請求項１の光モジュールにおいて、
前記突出部が、前記光モジュールから光を射出する領域以外の前記光モジュール対向面に対して形成されていることを特徴とする光モジュール。
【請求項４】
請求項２の光モジュールにおいて、
前記突出部がＬ字形状であることを特徴とする光モジュール。
【請求項５】
請求項１〜４のうちの１つの光モジュールにおいて、
前記突出部が、上下二段の構造であることを特徴とする光モジュール。
【請求項６】
請求項1〜４のうちの１つの光モジュールにおいて、
前記カバーは、上カバーと下カバーの２つの部品で構成され、前記上カバーの下部と前記下カバーの上部に切欠を設け、前記切欠が嵌合した構造であることを特徴とする光モジュール。
【請求項７】
請求項５の光モジュールにおいて、
前記カバーは、上カバーと中間カバーと下カバーの３つの部品で構成され、前記上カバーの下部、前記中間カバーの上部と下部、前記下カバーの上部に、切欠を設け、前記の切欠がそれぞれ嵌合した構造であることを特徴とする光モジュール。
【請求項８】
複数のレーザ光源からのレーザ光を結合し、走査ミラーにより結合されたレーザ光を所望の位置に照射する光モジュールと、
外部から入力される画像信号から水平同期信号及び垂直同期信号を抽出するビデオ信号処理回路と、
前記各レーザ光源へ駆動電流を供給するレーザ光源駆動回路と、
前記水平同期信号及び垂直同期信号に基づき前記走査ミラーを制御する走査ミラー駆動回路を備え、
請求項２〜７の前記カバーを搭載することを特徴とする走査型画像表示装置。
【請求項９】
複数のレーザ光源からのレーザ光を結合し、走査ミラーにより結合されたレーザ光を所望の位置に照射する光モジュールと、
外部から入力される画像信号から水平同期信号及び垂直同期信号を抽出するビデオ信号処理回路と、
前記各レーザ光源へ駆動電流を供給するレーザ光源駆動回路と、
前記水平同期信号及び垂直同期信号に基づき前記走査ミラーを制御する走査ミラー駆動回路を備え、
複数のレーザ光源からレーザ光を結合し所望の位置に照射する光モジュールであって、前記光モジュールを包含するカバーを有し、前記光モジュールと前記カバーとの間に第二のカバーを設け、前記第二のカバーの前記光モジュール対向面に少なくとも１つ以上の突出部を前記レーザ光源の下側に設け、前記突出部は、前記レーザ光源の発生する熱による前記レーザ光源下方から上方への対流を低減することを特徴とする走査型画像表示装置。
【発明の詳細な説明】
【技術分野】
【０００１】
本発明は、光モジュールおよび走査型画像表示装置に関し、例えば、複数のレーザからのレーザビームを１つの光軸上に整列して射出する光モジュール、および、光モジュールからのレーザビームを用いて画像表示を行う走査型画像表示装置に関する。
【背景技術】
【０００２】
近年、手軽に持ち歩きが可能で、大きな画面で表示できる小型プロジェクタの開発が盛んである。すでにノートＰＣなどに接続できる小型のプロジェクタや、記録画像を投射できるプロジェクタを内蔵したビデオカメラなどが市販されており、今後、携帯電話やスマートフォンに内蔵するものも登場すると思われる。
【０００３】
プロジェクタとしては、複数のレーザ光源からのビームを結合し走査する走査型画像表示装置が知られており、画像の高輝度を生かして自動車などに搭載しフロントガラスに投射、ナビゲートの表示などのヘッドアップディスプレイへの展開が考えられている。このような走査型画像表示装置では、温度変化による構成部品の膨張や収縮により、投影像の画質が劣化することがある。また、構成部品をそれぞれの耐熱温度以下にする必要がある。
【０００４】
光モジュールの断熱構造として、例えば〔特許文献１〕に記載されているような構造がある。〔特許文献１〕では、パッケージ内に収納された光モジュール周辺が断熱材で覆われている。また、〔特許文献２〕では、ポリゴンミラーから発生した熱を伝わりにくくするためにカバーで覆うことが記載されている。
【先行技術文献】
【特許文献】
【０００５】
【特許文献１】特開２００３−１４２７６７
【特許文献２】特開２００１―１５４１３４
【発明の概要】
【発明が解決しようとする課題】
【０００６】
しかしながら〔特許文献１〕の構造では、パッケージと被冷却要素との間に大きな空気層が生じるため、対流による熱伝達が生じることとなり、断熱効果が低下することになる。
【０００７】
また、〔特許文献２〕の構造においても、機械式偏向器とカバーとの間に空間が生じ、対流による熱伝達が発生し、断熱効果が低下することが懸念される。
【０００８】
本発明は、上記の課題を鑑みて、自然対流による断熱効果の低減を抑制し、各部品の熱膨張や収縮を軽減して、安定した投影画質が得られる光モジュール及び走査型画像表示装置を提供する。
【課題を解決するための手段】
【０００９】
上記課題を達成するために、本発明は、複数のレーザ光源からレーザ光を結合し所望の位置に照射する光モジュールにおいて、前記光モジュールを包含するカバーを有し、前記光モジュールと前記カバーとの間に第二のカバーを設け、前記第二のカバーの前記光モジュール対向面で、一つの前記レーザ光源と二つ目の前記レーザ光源の間の空間に、少なくとも１つ以上の突出部を前記レーザ光源の下側に設け、前記突出部は、前記レーザ光源の発生する熱による前記レーザ光源下方から上方への対流を低減することを特徴とするものである。
【００１０】
また、上記課題を達成するために、本発明は、複数のレーザ光源からレーザ光を結合し所望の位置に照射する光モジュールにおいて、前記光モジュールを包含するカバーを有し、前記光モジュールと前記カバーとの間に第二のカバーを設け、前記第二のカバーの前記光モジュール対向面で、一つの前記レーザ光源と二つ目の前記レーザ光源の間の空間に、少なくとも１つ以上の突出部を前記レーザ光源の下側に設け、前記突出部は、前記レーザ光源の発生する熱による前記レーザ光源下方から上方への対流を低減することを特徴とするものである。
【００１１】
更に本発明は、光モジュールにおいて、前記突出部が、前記光モジュールから光を射出する領域以外の前記光モジュール対向面に対して形成されていることを特徴とするものである。
【００１２】
更に本発明は、光モジュールにおいて、前記突出部がＬ字形状であることを特徴とするものである。
【００１３】
更に本発明は、光モジュールにおいて、前記突出部が、上下二段の構造であることを特徴とするものである。
【００１４】
更に本発明は、光モジュールにおいて、前記カバーは、上カバーと下カバーの２つの部品で構成され、前記上カバーの下部と前記下カバーの上部に切欠を設け、前記切欠が嵌合した構造であることを特徴とするものである。
【００１５】
更に本発明は、光モジュールにおいて、前記カバーは、上カバーと中間カバーと下カバーの３つの部品で構成され、前記上カバーの下部、前記中間カバーの上部と下部、前記下カバーの上部に、切欠を設け、前記の切欠がそれぞれ嵌合した構造であることを特徴とするものである。
【００１６】
更に本発明は走査型画像表示装置において、複数のレーザ光源からのレーザ光を結合し、走査ミラーにより結合されたレーザ光を所望の位置に照射する光モジュールと、外部から入力される画像信号から水平同期信号及び垂直同期信号を抽出するビデオ信号処理回路と、前記各レーザ光源へ駆動電流を供給するレーザ光源駆動回路と、前記水平同期信号及び垂直同期信号に基づき前記走査ミラーを制御する走査ミラー駆動回路を備え、前記カバーを搭載することを特徴とするものである。
【００１７】
上記課題を達成するために、本発明は複数のレーザ光源からのレーザ光を結合し、走査ミラーにより結合されたレーザ光を所望の位置に照射する光モジュールと、外部から入力される画像信号から水平同期信号及び垂直同期信号を抽出するビデオ信号処理回路と、前記各レーザ光源へ駆動電流を供給するレーザ光源駆動回路と、前記水平同期信号及び垂直同期信号に基づき前記走査ミラーを制御する走査ミラー駆動回路を備え、複数のレーザ光源からレーザ光を結合し所望の位置に照射する光モジュールであって、前記光モジュールを包含するカバーを有し、前記光モジュールと前記カバーとの間に第二のカバーを設け、前記第二のカバーの前記光モジュール対向面に少なくとも１つ以上の突出部を設けたことを特徴とするものである。
【発明の効果】
【００１８】
本発明によれば、カバーと光モジュールとの間の空間において、複数の光源間に、気流を制御する突出部を形成することにより、カバーと光モジュール間、特にレーザとレーザとの間の空間に発生する自然対流を抑制し、レーザの温度上昇や、各構成部品の熱膨張や収縮を軽減して、安定した投影画質が得られる光モジュール及び走査型画像表示装置を提供できる。
【図面の簡単な説明】
【００１９】
【図１】本発明の一実施例に係る走査型画像表示装置の全体構成図である。
【図２】本発明の一実施例に係る走査型画像表示装置の外観斜視図である。
【図３】本発明の一実施例に係る第二のカバーを説明する分解斜視図である。
【図４】本発明の一実施例に係る第二のカバーを説明する断面図である。
【図５】本発明の一実施例に係る第二のカバーを説明する断面図である。
【図６】本発明の一実施例に係る第二のカバー内の対流を説明する断面図である。
【図７】本発明の第二の実施例にかかる第二のカバーを説明する断面図である。
【図８】本発明の第三の実施例にかかる第二のカバーを説明する断面図である。
【図９】本発明の第三の実施例にかかる第二のカバーを説明する断面図である。
【図１０】本発明の第四の実施例にかかる第二のカバーを説明する断面図である。
【図１１】本発明の第五の実施例にかかる第二のカバーの製造構造を示す断面図である。
【図１２】本発明の第六の実施例にかかる第二のカバーを説明する断面図である。
【図１３】本発明の第七の実施例にかかる第二のカバーを説明する断面図である。
【図１４】本発明の第八の実施例にかかる第二のカバーの製造構造を示す断面図である。
【発明を実施するための形態】
【００２０】
以下、本発明の実施例を図面を用いて説明する。
【実施例１】
【００２１】
図１は、本発明の一実施例に係る走査型画像表示装置の全体構成図である。
【００２２】
図１に示されるように、走査型画像表示装置１１０は、光モジュール１０１、電源を内蔵する制御回路１０２、ビデオ信号処理回路１０３、レーザ光源駆動回路１０４、フロントモニター信号検出回路１０６及び走査ミラー駆動回路１０５からなり、画像入力信号に対応するレーザビームを走査しスクリーン１０７へ投射するよう構成されている。
【００２３】
光モジュール１０１は、レーザ光源モジュール１００、走査ミラー１０８を含む走査部及びフロントモニター１０９を備えている。レーザ光源モジュール１００は、赤（Ｒ）／緑（Ｇ）／青（Ｂ）の３色それぞれに対応するレーザ光源としての第１のレーザ１ａ、第２のレーザ１ｂ、第３のレーザ１ｃと、第１のレーザ１ａから発せられたレーザビームを略平行光にする第１のコリメータレンズ２ａ、第２のレーザ１ｂから発せられたレーザビームを略平行光にする第２のコリメータレンズ２ｂ、第３のレーザ１ｃから発せられたレーザビームを略平行光にする第３のコリメータレンズ２ｃを有している。第２のコリメータレンズ２ｂからのレーザビームと第３のコリメータレンズ２ｃからのレーザビームは第１のビーム結合部３ａにより一本の軸に沿って進む合成ビームに結合され、結合されたレーザビームは更に第２のビーム結合部３ｂにより第１のコリメータレンズ２ａからのレーザビームと結合される。走査ミラー１０８を含む走査部は、第２のビーム結合部３ｂで結合されたレーザビームをスクリーン１０７へ投射し、スクリーン１０７上で２次元的にレーザビームを走査する。
【００２４】
次に、光モジュール１０１を制御し所望の画像信号に対応するレーザビームをスクリーン１０７に投射可能とする各種回路について説明する。
【００２５】
電源等を内蔵する制御回路１０２は、外部より入力される画像信号を取り込みビデオ信号処理回路１０３に出力する。ビデオ信号処理回路１０３は、入力される画像信号に対し各種の処理を施した後に、Ｒ／Ｇ／Ｂの３色信号に分離してレーザ光源駆動回路１０４に出力すると共に、入力された画像信号から水平同期信号（Ｈｓｙｎｃ）及び垂直同期信号(Ｖｓｙｎｃ)を抽出し走査ミラー駆動回路１０５へ出力する。レーザ光源駆動回路１０４は、ビデオ信号処理回路１０３から入力されるＲ／Ｇ／Ｂの各信号の輝度値に応じて、レーザ光源モジュール１００内の対応するレーザ光源（１ａ、１ｂ、１ｃ）に対して発光用の駆動電流を供給する。その結果、レーザ光源１ａ，１ｂ，１ｃは表示タイミングに合わせてＲ／Ｇ／Ｂ信号の輝度値に応じた強度のレーザビームを出射する。
【００２６】
また、走査ミラー駆動回路１０５は、ビデオ信号処理回路１０３から入力される水平同期信号及び垂直同期信号に合わせて光モジュール１０１内の走査ミラー１０８に対しミラー面を２次元的に反復回転させる駆動信号を供給する。これにより走査ミラー１０８は、ミラー面を所定の角度だけ周期的に反復回転して、第２のビーム結合部３ｂから供給される結合後のレーザビームを反射させ、スクリーン１０７上に水平方向および垂直方向にレーザビームを走査して画像を表示する。
【００２７】
フロントモニター信号検出回路１０６は、第２のビーム結合部３ｂからの結合後のレーザビームを検出するフロントモニター１０９からの信号を入力して、各レーザ光源１ａ、１ｂ、１ｃから出射されるＲ／Ｇ／Ｂそれぞれのレーザビームの出力レベルを検出する。検出された出力レベルは、ビデオ信号処理回路１０３に入力されレーザ光源駆動回路１０４を介して所定の出力になるよう各レーザ光源１ａ，１ｂ、１ｃへの駆動電流が調整される。
【００２８】
なお、走査ミラー１０８には、例えばＭＥＭＳ（Micro Electro Mechanical Systems）技術を用いて作成された２軸駆動ミラーを用いることができる。駆動方式としては、圧電、静電、電磁駆動のものなどがある。また、１軸駆動の走査ミラーを２つ用意し、互いに直交する方向にレーザビームを走査できるように配置してもよい。
【００２９】
図２は本発明の一実施例に係る走査型画像表示装置１１０の外観斜視図である。図２において、光モジュール１０１（図示せず）は、カバー１１１と基台（ベース）１１２の内部に設置されている。カバー１１１には、結合後のレーザビームを出射可能とする射出口が設けられ、ここに射出口ガラス１１３を装備し気密性が維持されている。気密封止されているカバー１１１の後方には、光モジュール１０１を制御する制御回路１０２、ビデオ信号処理回路１０３、レーザ光源駆動回路１０４、フロントモニター信号検出回路１０６及び走査ミラー駆動回路１０５が同一の基板１２１（図３に示す）又は複数の基板（図示せず）に実装され、これら基板が基台（ベース）１１２上に配置されている。そして保護カバー１１４で保護されている。ここで、カバー１１１は熱伝導率の高いＡｌ（アルミニウム）部材にて形成されている。尚、形成部材としてはＡｌに限らず高熱伝導率の部材であれば良く、例えばＣｕを形成部材としても良い。但し、カバー１１１を所望の形状に加工する点を考慮すると射出成型が可能なＡｌが望ましい。また、保護カバー１１４は亜鉛鋼板又は鉄板等のＳＰＣＣ(冷間圧延鋼板)にて形成されている。尚、保護カバー１１４も熱伝導率の高いＡｌ（アルミニウム）部材等を用いることで放熱機能を合わせ持つものとしても良い。
【００３０】
基台（ベース）１１２にはヒートシンク１１５が取り付けられており、発熱体（熱源）である光モジュール１０１や上記各種回路が実装された基板１２１等から発せられる熱を外部に放熱する。ヒートシンク１１５はＡｌ等の高熱伝導率の部材で形成され、その表面積を大きくするため複数のフィンを有する形状となっている。なお、ここで基台（ベース）１１２もカバー１１１及びヒートシンク１１５と同様に熱伝導率の高いＡｌ部材を用いることで放熱機能を合わせ持つものとしても良い。
【００３１】
走査型画像表示装置１１０の使用時の温度上昇によりレーザ光源１ａ、１ｂ、１ｃが動作保証温度を外れると、温度依存によるレーザ波長変動により各色の視感度に差が生じ、画面全体が赤っぽくなったりするなどの画像の色ずれを引き起こす。またレーザ出力の低下、寿命の短命化の要因ともなる。そのためレーザ発光時の温度上昇を抑制するため、光モジュール１０１に基台（ベース）１１２及びヒートシンク１１５を取り付ける必要がある。
【００３２】
また、自動車などに搭載するヘッドアップディスプレイとして走査型画像表示装置１１０を使用する場合、寒冷地での放置および真夏日での放置により、環境温度は−数十℃から＋１００℃近くまで変動する。そのためレーザの動作保証温度範囲より環境温度の範囲が広い条件が存在するため、光モジュール１０１およびそれを備えた走査型画像表示装置１１０において、レーザの動作保証温度範囲内に温度を調節するため加熱・冷却機構が必要となる。
【００３３】
ここで、レーザの動作保証温度とするために加熱・冷却機能だけでなく、周囲と光モジュール１０１との間に断熱構造を設ける必要がある。この断熱構造の効率向上を図ると消費電力低減効果も期待できる。
【００３４】
以下では、断熱構造の具体的構成について説明する。図３は本発明の実施例に係る第二のカバー１２を説明する分解斜視図である。図３において、光モジュール１０１は、第１のレーザ１ａ、第２のレーザ１ｂ、第３のレーザ１ｃがモジュール筺体４に取り付けられ、光モジュール１０１の温度を制御する温度調整素子５により第１のレーザ１ａ、第２のレーザ１ｂ、第３のレーザ１ｃを動作保証温度内に温度を維持する構造となっている。温度調整素子５は排熱を促進するため、基台（ベース）１１２と接続される構造となっている。断熱構造としてカバー１１１内にあり、光モジュール１０１を覆う第二のカバー１２を配置する。この第二のカバー１２は、上部にカバー１１１内側の幅いっぱいに天板１３を設けている。第二のカバー１２は、カバー１１１に一部が接しており、光が通過する位置やレーザなどに供給する電線位置に穴を設けている。
【００３５】
図４で本発明における第二のカバーの詳細を説明する。図４は図３のＡ―Ａ断面を示す。基台１１２の上に温度調節素子５が設置されその上にモジュール筐体４が設置されている。基台１１２の上には、カバー１１１とカバー蓋１２０がモジュール筐体４を包含するように設置されている。モジュール筐体４には、第１のレーザ１ａ（図示せず）、第二のレーザ１ｂ、第三のレーザ１ｃ（図示せず）が取り付けられている。カバー１１１およびカバー蓋１２０の内側に第二のカバーが設置されている。第二のカバーは天板１３と側面１５と突出部１３１から構成される。突出部１３１は、レーザとレーザとの間の特に対流の大きな部分に設けることが、温度上昇防止効果が大きい。第二のカバーはモジュール筐体４および温度調節素子５とカバー１１１およびカバー蓋１２０との間の空間に設置された構造である。
【００３６】
第二のカバー１２の効果は、第二のカバー１２をカバー１１１と光モジュール１０１との間に配置することよって、カバー１１１から光モジュール１０１への直接的に加わる放射による熱流入を防ぐ効果がある。また、カバー１１１と光モジュール１０１間に第二のカバーを配置することによってカバー１１１と光モジュール１０１間の空間を分割し、対流によるカバー１１１と光モジュール１０１間の熱流入を防ぐ効果がある。さらに、第二のカバーに突出部１３１を設けていることで、第二のカバーの内側の対流を低減することができる。特に第一のレーザ１ａと第三のレーザ１ｃとの間の空間、第二のレーザ１ｂと第三のレーザ１ｃとの間の空間の温度が高くなりやすいことが、温度シミュレーション結果により分かっている。そのため、これらの空間部は対流が生じ易く、カバー１１１内の温度上昇の原因となる。
【００３７】
図５は、図４のＢ−Ｂ断面を示しており、第一のレーザ１ａと第三のレーザ１ｃが並べてモジュール筐体４に設置されている。第二のレーザ１ｂは、モジュール筐体の角部１５６を挟んでモジュール筐体４に設置されている。図５は、対流が起こり易いレーザ１ｂとレーザ１ｃとの間のカバー１２の隅部１５７にＬ字型の突出板１３１を設けた構造を示しており、対流の防止効果を高め、レーザの温度上昇を低減することができる。また、各部品の熱膨張、または収縮を抑えられ、投影画質の劣化を抑制できる。この、突出部１３１は、対流を防止するための一例である。また、第二のカバー１２は、断熱効果を期待するため、樹脂で成形することが好ましい。
【００３８】
図６において突出部１３１の作用を説明する。図６は図３のＡ−Ａ断面を示し、上図図６（ａ）は突出部１３１を設置していない第二のカバー１２の構造で、下図図6（ｂ）は、突出部１３１を設けた第二のカバー１２の構造である。図６以降では、同じ構成部材の番号を一部省略して表示する。突出部１３１がない場合は、上図（ａ）に示すようにカバー１２の内側で対流１６０、１６１が発生し、温度が拡散されるが、下図（ｂ）に示すようにカバー１２に突出部１３１を形成した場合、とくに対流１６０は、突出部１３１に遮られるため、小さくなり、温度拡散を防止できる。
【実施例２】
【００３９】
本発明の実施例２にかかる第二のカバー１２を説明する。
【００４０】
図7は実施例２のＢ-Ｂ断面図である。実施例１との違いは、突出部１３１に加えて、突出部１３２を設けたことである。実施例１で説明したように、第一のレーザと第三のレーザとの間にも突出部を設けることにより、カバー１２の内側の空間の対流をさらに低減することが可能で、レーザの温度上昇の低減効果が高まる。
【実施例３】
【００４１】
本発明の実施例3にかかる第二のカバー１２を説明する。
【００４２】
図８は実施例３のＢ−Ｂ断面図である。実施例２との違いは、突出部１３１、１３２に加えて、突出部１３３、１３４を設けたことである。これにより、第二のカバー１２の内側には複数の突出部が形成されており、対流の防止効果はさらに高められる。図９は、実施例３のＡ−Ａ断面図であり、第二のカバーに設けられた突出部１３１と１３４の構造を示している。
【実施例４】
【００４３】
本発明の実施例４にかかる第二のカバー１２を説明する。
【００４４】
図１０は実施例4のＢ−Ｂ断面図である。実施例３との違いは、突出部１３５が、第一のレーザ１ａ、第二のレーザ１ｂおよび第三のレーザ１ｃの下方にも形成された一体構造となっていることである。これによりさらに、対流の防止効果は高められる。
【実施例５】
【００４５】
本発明の実施例５にかかる第二のカバー１２を説明する。
【００４６】
図１１は実施例５のＡ−Ａ断面図であり、第二のカバー12を製造するための構造を示す。第二のカバー１２は、低コストの量産性を考慮すると、樹脂の射出成型が好ましく、その場合には、突出部１３１を形成するために、第二のカバー１２を上カバー１３６と下カバー１３７に分割することが必要となる。分割することにより、射出成型時の型から容易に抜くことが可能となる。さらに、上カバー１３６と下カバー１３７が嵌合するように上カバー１３６の切欠１３８、下カバー１３７の切欠１３９を形成することにより、組み立てが容易になる。また、接着剤等も省略可能である。
【実施例６】
【００４７】
本発明の実施例６にかかる第二のカバー１２を説明する。
【００４８】
図１２は実施例６のＡ−Ａ断面図である。本実施例は、図４、図５で説明した突出部１３１の上側に第二の突出部１５１を設けた構造である。これにより、対流の防止効果が高まり、温度上昇の低減が可能となる。また、図示していないが、図８に示した実施例３においては、突出部１３２の上側に、追加の突出部を設ける構造も、対流防止に効果がある。
【実施例７】
【００４９】
本発明の実施例７にかかる第二のカバー１２を説明する。
【００５０】
図１３は実施例７のＡ−Ａ断面図である。本実施例も実施例６と同様であり、図８で説明した実施例３の突出部１３４の上側にも第二の突出部１５２を形成した構造である。前述の実施例６と同様に、対流の防止効果が高まり、温度上昇の低減が可能となる。
【実施例８】
【００５１】
図１４は、本発明の実施例８にかかる第二のカバー１２を製造する構造を説明する。
【００５２】
図１４は実施例７のＡ−Ａ断面図である。実施例５との違いは、カバー１２において上カバー１３６と下カバー１３７との間に中間カバー１５３を設けたことである。これにより、射出形成で製造したときの型からの抜き作業が可能となる。また、中間カバー１５３に、切欠１５４および切欠１５５を形成することにより、上カバー１３６の切欠１３８、および下カバー１３７の切欠１３９と嵌合可能となり、組み立て性も良くなる。また、上カバー１３６、中間カバー１５３および下カバー１３７との組み立て時の位置合わせが容易となる。
【符号の説明】
【００５３】
１ａ  第１のレーザ
１ｂ  第２のレーザ
１ｃ  第３のレーザ
２ａ  第１のコリメータレンズ
２ｂ  第２のコリメータレンズ
２ｃ  第３のコリメータレンズ
３ａ  第１のビーム結合部
３ｂ  第２のビーム結合部
４    モジュール筺体
５    温度調整素子
１２  第二のカバー
１３  天板
１５  側面
１００  レーザ光源モジュール
１０１  光モジュール
１０２  制御回路
１０３  ビデオ信号処理回路
１０４  レーザ光源駆動回路
１０５  走査ミラー駆動回路
１０６  フロントモニター信号検出回路
１０７  スクリーン
１０８  走査ミラー
１０９  フロントモニター
１１０  走査型画像表示装置
１１１  カバー
１１２  基台（ベース）
１１３  射出口ガラス
１１４  保護カバー
１１５  ヒートシンク
１２０  カバー蓋
１２１  基板
１３１  突出部
１３２  突出部
１３３  突出部
１３４  突出部
１３５  突出部
１３６  上カバー
１３７  下カバー
１３８  切欠
１３９  切欠
１４０  射出口
１５１  第二の突出部
１５２  第二の突出部
１５３  中間カバー
１５４  切欠
１５５  切欠
１５６  角部
１５７  隅部
１６０  対流
１６１  対流
【図１】
0006602543.tif 000002
【図２】
0006602543.tif 000003
【図３】
0006602543.tif 000004
【図４】
0006602543.tif 000005
【図５】
0006602543.tif 000006
【図６】
0006602543.tif 000007
【図７】
0006602543.tif 000008
【図８】
0006602543.tif 000009
【図９】
0006602543.tif 000010
【図１０】
0006602543.tif 000011
【図１１】
0006602543.tif 000012
【図１２】
0006602543.tif 000013
【図１３】
0006602543.tif 000014
【図１４】
0006602543.tif 000015